(57)【要約】【課題】蓄光性を有する蓄光材を使用した操作部を光源部で蓄光させる場合に適切なタイミングで蓄光できるようにする。【解決手段】オープンボタン８は、操作部筐体１と表示部筐体２とを開かせてその折り畳み状態を解除させるボタンであり、軽く触れただけの一段目の押下操作が行われた際にオンする電気接点スイッチ８ａと、深く押し込む二段目の押下操作が行われた際に操作部筐体１と表示部筐体２とを開かせてその折り畳み状態を解除させるメカスイッチ８ｂを有している。制御回路部１１は、このオープンボタン８の一段目の押下操作によりその電気接点スイッチ８ａがオンされたか否かに基づいて携帯電話機を使用し始める使用開始タイミングであるか否かを判別し、使用開始タイミングであれば、表示部７のバックライト７ｂを駆動させることによりキー操作部５の蓄光材への蓄光を開始させる。【選択図】  図２
2012114615.tif 000002
【特許請求の範囲】
【請求項１】
蓄光性を有する蓄光材を使用した操作部と光源部を備えた携帯端末装置であって、
当該端末装置を使用し始める使用開始タイミングであるか否かを判別する判別手段と、
前記判別手段により使用開始タイミングであることが判別された際に、前記光源部を駆動させることにより前記操作部の蓄光材への蓄光を開始する制御手段と、
を備えたことを特徴とする携帯端末装置。
【請求項２】
前記判別手段は、前記操作部を備えた操作部筐体と前記光源部としての表示部を備えた表示部筐体との折り畳み状態を解除する操作が開始されたか否かに基づいて使用開始タイミングであるか否かを判別する、
ようにしたことを特徴とする請求項１記載の携帯端末装置。
【請求項３】
前記操作部筐体と表示部筐体との折り畳み状態を解除する操作子を更に備え、
前記判別手段は、前記操作子が操作された際を使用開始タイミングとして判別する、
ようにしたことを特徴とする請求項２記載の携帯端末装置。
【請求項４】
前記操作部筐体と表示部筐体との折り畳み状態を解除する前記操作子は、複数段押しが可能な押しボタンであり、
前記判別手段は、前記押しボタンの一段目の押下を検出した際に、前記解除操作が開始されたと判別し、
前記制御手段は、前記押しボタンの一段目の押下で前記操作部の蓄光材への蓄光を開始し、該押しボタンの二段目以降の押下で蓄光を終了する、
ようにしたことを特徴とする請求項３記載の携帯端末装置。
【請求項５】
前記光源部は、表示部の表示面を照明するバックライトであり、
前記制御手段は、前記表示部のバックライトを駆動させることにより前記蓄光材への蓄光を制御する、
ようにしたことを特徴とする請求項１〜請求項４のいずれかに記載の携帯端末装置。
【請求項６】
前記制御手段は、前記光源部の駆動を開始してから所定時間が経過した際にその駆動を停止させる、
ようにしたことを特徴とする請求項１〜請求項５のいずれかに記載の携帯端末装置。
【請求項７】
前記操作部の周辺の明るさを計測する照度センサの計測結果に基づいて前記蓄光材に蓄光された状況を数量として計測する計測手段を更に備え、
前記制御手段は、前記判別手段により使用開始タイミングであることが判別された際に、前記計測手段による計測結果に基づいて前記蓄光材への蓄光を制御する、
ようにしたことを特徴とする請求項１〜請求項６のいずれかに記載の携帯端末装置。
【請求項８】
前記計測手段は、前記照度センサの計測結果に基づいて前記蓄光材に蓄光された状況として前記蓄光材が発光可能な発光時間を計測し、
前記制御手段は、前記判別手段により使用開始タイミングであることが判別された際に、前記計測手段により計測された発光時間が所定時間未満であるかを判別し、所定時間未満であれば前記蓄光材への蓄光を開始し、所定時間以上であれば前記蓄光材への蓄光を抑制する、
ようにしたことを特徴とする請求項７記載の携帯端末装置。
【請求項９】
前記操作部は、キーボード上に各種のキーを備えたキー操作部であり、
前記蓄光材は、少なくとも前記キーボード、各キーのいずれかにを設ける、
ようにしたことを特徴とする請求項１〜請求項８のいずれかに記載の携帯端末装置。
【請求項１０】
コンピュータに対して、
蓄光性を有する蓄光材を使用した操作部と光源部を備えた携帯端末装置を使用し始める使用開始タイミングであるか否かを判別する機能と、
前記使用開始タイミングであることが判別された際に、前記光源部を駆動させることにより前記蓄光材への蓄光を制御する機能と、
を実現させるためのプログラム。
【発明の詳細な説明】
【技術分野】
【０００１】
本発明は、蓄光性を有する蓄光材を使用した操作部と光源部を備えた携帯端末装置及びプログラムに関する。
【背景技術】
【０００２】
一般に、携帯電話に代表される携帯端末装置にあっては、夜間や照明の無い場所でもキーを操作することができるようにキー操作部には、キーを照明するための照明手段が設けられている。そして、従来では、このキー照明時の消費電流を低減するために蓄光式の夜光材料（蓄光材）を使用し、キー自体を暗所で自発光させるようにした技術が開示されている（特許文献１参照）。
【０００３】
このように蓄光材をキーの照明手段として使用した折り畳み型の携帯端末装置において、通常、持ち運んでいる状態では筐体を閉じているためにキー操作部には、外光（太陽光や人工光）が当たらず、蓄光できないために暗闇での携帯電話の使用時にキー操作部を発光させることができないという問題があった。
【０００４】
そこで、更に、従来では、折り畳み型の携帯端末装置に蓄光材を使用する場合に、筐体が閉じている状態（折り畳まれている状態）のときに、液晶表示部のバックライトを点灯させることによりキー操作部への蓄光を行うようにした技術が開示されている（特許文献２参照）。
【先行技術文献】
【特許文献】
【０００５】
【特許文献１】特開平０８‐１８０７５８号公報
【特許文献２】特開２０１０‐１０８７７２号公報
【発明の概要】
【発明が解決しようとする課題】
【０００６】
しかしながら、上述したようにバックライトの点灯で蓄光させる先行技術にあっては、常にキー操作部が蓄光されている状態を保つようにバックライトを点灯し続ける必要があり、長い間、携帯端末装置が使用されなければ、蓄光のための消費電流が無駄になってしまうという問題があった。
【０００７】
本発明の課題は、蓄光性を有する蓄光材を使用した操作部を光源部で蓄光させる場合に適切なタイミングで蓄光できるようにすることである。
【課題を解決するための手段】
【０００８】
上述した課題を解決するために本発明の一つの態様は、
蓄光性を有する蓄光材を使用した操作部と光源部を備えた携帯端末装置であって、
当該端末装置を使用し始める使用開始タイミングであるか否かを判別する判別手段と、
前記判別手段により使用開始タイミングであることが判別された際に、前記光源部を駆動させることにより前記操作部の蓄光材への蓄光を開始する制御手段と、
を備えたことを特徴とする。
【０００９】
上述した課題を解決するために本発明の他の態様は、
コンピュータに対して、
蓄光性を有する蓄光材を使用した操作部と光源部を備えた携帯端末装置を使用し始める使用開始タイミングであるか否かを判別する機能と、
前記使用開始タイミングであることが判別された際に、前記光源部を駆動させることにより前記蓄光材への蓄光を制御する機能と、
を実現させるためのプログラム。
【発明の効果】
【００１０】
本発明によれば、蓄光性を有する蓄光材を使用した操作部を光源部で蓄光させる場合に適切なタイミングで蓄光することができ、消費電流の低減により実用性に富んだものとなる。
【図面の簡単な説明】
【００１１】
【図１】携帯端末装置として適用した携帯電話機の外観を概略的に示した図。
【図２】携帯電話機の基本的な構成要素を示したブロック図。
【図３】オープンボタン５に軽く触れる一段目の押下操作が行われた際に実行開始されるフローチャート。
【図４】第２実施形態における携帯電話機の外観を概略的に示した図。
【図５】第２実施形態における携帯電話機の基本的な構成要素を示したブロック図。
【図６】第２実施形態において、定期的に発生された割り込みイベントに応じて実行開始される蓄光量計測処理を示したフローチャート。
【図７】第２実施形態において、オープンボタン５に軽く触れる一段目の押下操作が行われた際に実行開始されるフローチャート。
【発明を実施するための形態】
【００１２】
以下、本発明の実施の形態について、図面を参照して詳細に説明する。
（実施形態１）
先ず、図１〜図３を参照して本発明の第１実施形態を説明する。
図１は、携帯端末装置として適用した携帯電話機の外観を概略的に示した図である。
この携帯電話機は、２つの筐体として操作部筐体（下側筐体）と上側筐体（表示部筐体）とを開閉可能に取り付けた折り畳み自在なもので、この折り畳み型の携帯電話機には、音声通話機能、電子メール機能、インターネット接続機能（Ｗｅｂアクセス機能）などが備えられている。
【００１３】
この携帯電話機を構成する操作部筐体（下側筐体）１と表示部筐体（上側筐体）２とは、ヒンジ部３を介して開閉可能（折り畳み可能）に取り付けられている。そして、この操作部筐体１の前面には通話用マイク４及びキー操作部５が配設され、また、表示部筐体２の前面には通話用スピーカ６及び表示部７が配設されている。このキー操作部５と表示部７とは、操作部筐体１と表示部筐体２とを折り畳んだ状態（重ね合った状態：閉状態）では互いに向かい合って対向する状態となる。
【００１４】
操作部筐体１の一側面のヒンジ部３側には、オープンボタン８が配設されている。このオープンボタン８は、操作部筐体１と表示部筐体２との折り畳み状態を解除することにより、それらを開いた開状態とするための操作ボタンで、二段押しが可能な押しボタン構造となっている。携帯電話機の使用を開始する際に、オープンボタン８を軽く触れただけの一段目の押下操作が行われた場合には、折り畳み状態の解除の開始を指示し、深く押し込む二段目の押下操作が行われた場合には、操作部筐体１と表示部筐体２とを開かせてその折り畳み状態を解除させる。なお、この携帯電話機には、図示省略したが、操作部筐体１と表示部筐体２とを折り畳み状態でロックするロック機構を有しているほか、オープンボタン８の二段押しによりそのロック状態を外して操作部筐体１と表示部筐体２とをバネ力で開かせるオープン機構を有している。
【００１５】
図２は、携帯電話機の基本的な構成要素を示したブロック図である。
制御回路部１１は、携帯電話機の全体動作を制御するもので、図示しないＣＰＵ（中央演算処理装置）やメモリなどが設けられている。制御回路部１１は、キー操作部５からのキー入力信号に応じて携帯電話機の各種の処理を実行する。電源回路部１２は、バッテリー１３からの電力を必要に応じて携帯電話機の各部に供給する。記憶部１４は、例えば、ＲＯＭ、ＲＡＭ、フラッシュメモリなどを有する構成で、図３に示した動作手順に応じて本実施形態を実現するためのプログラムや各種のアプリケーションなどが格納されているほか、後述する蓄光カウンタ１４ａを有している。
【００１６】
無線回路部１５は、アンテナ１６を介して最寄りの携帯電話基地局との間で無線通信を行うことにより、電話の着呼や発呼、通話用マイク４及び通話用スピーカ６を使用しての音声通話、インターネット上からコンテンツのダウンロード、電子メールの送受信などを実行可能となっている。開閉検出回路部１７は、操作部筐体１と表示部筐体２とを折り畳んだ状態（閉状態）であるか操作部筐体１と表示部筐体２とを開いた開状態であるかを検出するもので、操作部筐体１と表示部筐体２のいずれか一方の筐体に磁石が配置され、反対側の筐体に、この磁石と対向する位置に磁力を感知する磁気センサを配置した構成となっているが、その構成は、これに限らず、例えば、機械的手段や光学的な手段などであってもよい。
【００１７】
キー操作部５は、そのキーボード５ａの上に各種の押しボタン式のキー５ｂが配設されたもので、キーボード５ａの表面全域及び各キー５ｂのキートップ部分には、暗所での使用を可能とする照明手段として蓄光性を有する蓄光材（夜光材）が使用されている。なお、蓄光材は、太陽、蛍光灯、発光ダイオードなどからの光エネルギを吸収（蓄光）して発光するもので、例えば、発光輝度や残光性の優れたアルミナ系酸化物などの材料である。表示部７は、液晶表示パネル７ａとバックライト７ｂを有するもので、バックライト７ｂとして、例えば、小型化が可能な白色ＬＥＤ（発光ダイオード）を使用している。操作部筐体１と表示部筐体２とを折り畳んだ状態（重ね合った状態）においてバックライト７ｂの点灯によりキー操作部５の蓄光材への蓄光が行われる。
【００１８】
オープンボタン８は、軽く触れただけの一段目の押下操作が行われた際にオンする電気接点スイッチ８ａと、深く押し込む二段目の押下操作が行われた際に操作部筐体１と表示部筐体２とを開かせてその折り畳み状態を解除させるメカスイッチ８ｂとを有し、この電気接点スイッチ８ａのスイッチング信号（オン／オフ信号）は、制御回路部１１に入力される。制御回路部１１は、電気接点スイッチ８ａからのスイッチング信号に基づいて携帯電話機を使用し始める使用開始タイミングであるか否かを判別するようにしている。
【００１９】
すなわち、携帯電話機を使用し始める使用開始タイミングとは、操作部筐体１と表示部筐体２とを開かせて表示部７の表示内容を視認可能な状態としたり、キー操作部５を操作可能な状態としたりするための直前の状態を意味し、実施形態においては上述のようにオープンボタン８を軽く触れただけの一段目の押下操作が行われた状態を示しているが、これに限らず、後述するが、操作部筐体１と表示部筐体２とを開き始めた状態、携帯電話機を手に持ち始めた状態などであってもよい。
【００２０】
ここで、制御回路部１１は、電気接点スイッチ８ａがオンされたときに携帯電話機を使用し始める使用開始タイミングであると判断して、表示部７のバックライト７ｂを点灯駆動させることによりキー操作部５の蓄光材への蓄光を制御するようにしている。この場合、制御回路部１１は、表示部７の画面全体を白表示させるように制御すると同時に、バックライト７ｂを最大輝度で点灯させるように制御することにより、キー操作部５の蓄光材を瞬時に蓄光させるようにしている。
【００２１】
このようにオープンボタン８を二段押し構造とすることでユーザ（使用者）にあっては、オープンボタン８に軽く触れてからオープンボタン８を押し込むまでの時間を意図的に調整することにより、キー操作部５への蓄光の強さ（蓄光される時間）を容易に調整することが可能となる。例えば、暗い環境下で長めに携帯電話機を使用したいときには、オープンボタン８に触れてからオープンボタン８を押し込むまでの時間を長めにすることによりキー操作部５への蓄光を強くすること、つまり、キー操作部５の発光時間を長くすることができる。逆に、明るい環境下で携帯電話機を使用したいときには、キー操作部５の発光が必要ないためにオープンボタン８を触れると同時に一気に押し込むことによりキー操作部５への蓄光を最短の時間とすることにより、無駄な電力消費を抑えるという、使い方も可能となる。
【００２２】
次に、第１実施形態における携帯電話機の動作概念を図３に示すフローチャートを参照して説明する。ここで、このフローチャートに記述されている各機能は、読み取り可能なプログラムコードの形態で格納されており、このプログラムコードにしたがった動作が逐次実行される。
図３は、オープンボタン５に軽く触れる一段目の押下操作が行われた際に実行開始されるフローチャートであり、この図３のフローから抜けた際には、全体動作のメインフロー（図示省略）に戻る。
【００２３】
先ず、制御回路部１１は、オープンボタン８の一段目の押下操作によりその電気接点スイッチ８ａがオンされると、開閉検出回路部１７の検出結果に基づいて操作部筐体１と表示部筐体２との開閉状態を判定する（ステップＳ１）。ここで、オープンボタン８を触れると同時に一気に押し込むことにより操作部筐体１と表示部筐体２とを開かせたときには（ステップＳ１でＮＯ）、キー操作部５への蓄光が不要であると判断して図３のフローから抜けるが、操作部筐体１と表示部筐体２とが閉状態のままであれば、つまり、オープンボタン８が深く押し込まれていなければ（ステップＳ１でＹＥＳ）、キー操作部５への蓄光が必要であると判断してステップＳ２に移り、表示部７のバックライト７ｂを駆動させてキー操作部５の蓄光材への蓄光を開始する。この場合、上述したように表示部７の画面全体を白表示させると同時に、バックライト７ｂを最大輝度で点灯させることにより瞬時に蓄光させる。このような蓄光開始に伴って、蓄光継続時間を計測する蓄光カウンタ１４ａの計測動作を開始させる。
【００２４】
そして、開閉検出回路部１７の検出結果に基づいて開閉状態の判定を行い（ステップＳ３）、閉状態のままであれば（ステップＳ３でＹＥＳ）、上述の蓄光カウンタ１４ａの計測時間を取得して所定時間を経過したか、つまり、蓄光を開始して現時点までの蓄光継続時間は、所定時間を超えたかを調べる（ステップＳ４）。
【００２５】
ここで、ユーザがオープンボタン８に軽く触れることにより電気接点スイッチ８ａをオンさせたものの、オープンボタン８が押し込まれなかったものとすると、蓄光が延々続いてしまってバッテリー１３を無駄に消費してしまうことになるため、それを防ぐためにステップＳ４では、蓄光継続時間を監視するようにしているが、本実施形態では所定時間を“３０秒”としている。なお、所定時間をユーザ操作により任意に設定可能としてもよく、例えば、“２０秒”や“４０秒”などとしてもよい。
【００２６】
いま、蓄光継続時間が所定時間未満であれば（ステップＳ４でＮＯ）、上述のステップＳ３に戻って、所定時間を超えるまで待機状態となるが、蓄光継続時間が所定時間を超えたとき（ステップＳ４でＹＥＳ）又は所定時間未満でも開状態となったときには（ステップＳ３でＮＯ）、表示部７の駆動を終了させてキー操作部５の蓄光材への蓄光を終了させる（ステップＳ５）。この場合、表示部７の白表示を停止させると共に、バックライト７ｂを消灯させ、更には、蓄光カウンタ１４ａの計測動作を停止させてその計測値をクリアする。その後、図３のフローから抜ける。
【００２７】
以上のように、第１実施形態において制御回路部１１は、操作部筐体１と表示部筐体２とが折り畳まれている状態において、オープンボタン８の一段目の押下操作によりその電気接点スイッチ８ａがオンされたか否かに基づいて携帯電話機を使用し始める使用開始タイミングであるか否かを判別し、使用開始タイミングであれば、表示部７のバックライト７ｂを駆動させることによりキー操作部５の蓄光材への蓄光を開始するようにしたので、キー操作部５を表示部７で蓄光させる場合に適切なタイミングで蓄光することができ、消費電流を大幅に低減できるほか、使用直前での蓄光であるために照明効果も高くなり、実用性に富んだものとなる。
【００２８】
また、オープンボタン８を二段押し構造とするようにしたので、使用者にあっては、オープンボタン８に軽く触れてからオープンボタン８を押し込むまでの時間を意図的に調整することにより、キー操作部５への蓄光の強さ（時間）を調整することを容易に行うことが可能となる。
【００２９】
表示部７のバックライト７ｂを蓄光の光源部とするようにしたので、蓄光専用としての光源部を新たに設けなくても、表示部７のバックライト７ｂを兼用することができる。また、蓄光を開始してから所定時間の経過後にバックライト７ｂを停止するようにしたので、無駄な電力消費を抑えることができる。
【００３０】
以下、この発明の第２実施形態について図４〜図７を参照して説明する。
なお、上述した第１実施形態においては、携帯電話機の使用開始時に蓄光を開始するようにしたが、この第２実施形態にあっては、携帯電話機の使用中に蓄光された蓄光時間に相当する発光可能な時間（発光時間）を計測しておき、携帯電話機の使用開始時に発光時間が所定値未満か否かに応じて表示部７の駆動による蓄光を制御するようにしたものである。ここで、両実施形態において基本的あるいは名称的に同一のものは、同一符号を付して示し、その説明を省略すると共に、以下、第２実施形態の特徴部分を中心に説明するものとする。
【００３１】
図４は、第２実施形態における携帯電話機の外観を概略的に示した図である。
この携帯電話機は、上述した第１実施形態と同様に、折り畳み型で、操作部筐体（下側筐体）１と表示部筐体（上側筐体）２とは、ヒンジ部３を介して開閉可能（折り畳み可能）に取り付けられている。この操作部筐体１の前面には通話用マイク４及びキー操作部５が配設されている。また、表示部筐体２の前面には通話用スピーカ６及び表示部７が配設されている。操作部筐体１の一側面のヒンジ部３側には二段押し構造のオープンボタン８が配設されている。そして、この第２実施形態において操作部筐体１の前面のヒンジ部３側には操作部筐体１の周辺の明るさを検出するための照度センサ９が配設されている。
【００３２】
図５は、第２実施形態における携帯電話機の基本的な構成要素を示したブロック図である。この第２実施形態においても第１実施形態と同様に、携帯電話機の全体動作を制御する制御回路部１１を中核として、通話用マイク４、キー操作部５、通話用スピーカ６、表示部７、液晶表示パネル７ａ、バックライト７ｂ、オープンボタン８、電気接点スイッチ８ａ、メカスイッチ８ｂ、電源回路部１２、バッテリー１３、記憶部１４、無線回路部１５、開閉検出回路部１７などを備えているが、この第２実施形態では更に、照度センサ９を備えている。また、記憶部１４には、蓄光開始に伴って、蓄光継続時間を計測する蓄光カウンタ１４ａのほか、発光カウンタ１４ｂを備えている。
【００３３】
制御回路部１１は、照度センサ９の検出結果を定期的に参照して、操作部筐体１の周囲は明るいか暗いかを判定し、その判定結果に基づいて発光カウンタ１４ｂの値を更新するようにしている。発光カウンタ１４ｂは、携帯電話機の使用状況によりキー操作部５に蓄光された時間に相当する発光可能な時間（発光時間）を計測するもので、制御回路部１１は、携帯電話機の使用開始時に発光時間が所定値未満であれば、表示部７の駆動による強制的な蓄光を開始して、その発光時間を捕捉するようにしている。
【００３４】
キー操作部５は、第１実施形態と同様に、そのキーボード５ａ及び各キー５ｂには、暗所での使用のために蓄光性を有する蓄光材が使用されているが、この蓄光材は、一般家庭での蛍光灯の照明程度の明るさでも十分に蓄光が可能なもので、蓄光された時間の１０倍程度の発光時間（暗闇で十分な視認性を保つことができる発光時間）が得られる性能である。例えば、性能について第２実施形態では、７２０秒（１２分）の蓄光時間で最大７２００秒（１２０分）の発光時間が得られるものとする。
【００３５】
図６は、第２実施形態において、定期的（例えば、５秒間隔）に発生された割り込みイベントに応じて実行開始される蓄光量計測処理を示したフローチャートである。
先ず、制御回路部１１は、照度センサ９によりキー操作部５の周囲が明るいか暗いかの判定を行う（ステップＳ１１）。この場合の判定は、一般家庭での蛍光灯の照明以上の明るさを明るいと判定し、それよりも暗い場合を暗いと判定するようにしている。
【００３６】
その結果、明るいと判定したときには（ステップＳ１１でＹＥＳ）、発光カウンタ１４ｂの値に“５０秒”を加算する（ステップＳ１２）。すなわち、上述のように割り込みイベントが５秒間隔で発生されるので、割り込みイベントから次の割り込みイベントが発生されるまでの時間が蓄光時間（５秒）となり、この蓄光時間の１０倍の発光時間を発光カウンタ１４ｂに加算する。これによって、発光カウンタ１４ｂの値が発光の最大値“７２００秒”を越えたかを調べ（ステップＳ１３）、最大値を越えたときには（ステップＳ１３でＹＥＳ）、発光カウンタ１４ｂの値を最大値（７２００秒）とする（ステップＳ１４）。
【００３７】
一方、照度センサ９によりキー操作部５の周囲が暗いかと判定したときには（ステップＳ１１でＮＯ）、発光カウンタ１４ｂの値から“５秒”を減算する（ステップＳ１５）。その結果、発光カウンタ１４ｂの値が発光の最小値“０秒”以下になったかを調べ（ステップＳ１６）、最小値の“０秒”以下であれば（ステップＳ１６でＹＥＳ）、発光カウンタ１４ｂの値を最小値“０秒”とする（ステップＳ１７）。このような蓄光量計測処理は、割り込みイベントが発生する毎（例えば、５秒毎）に繰り返される結果、発光カウンタ１４ｂの値は、蓄光された時間の１０倍の時間が発光時間となる。
【００３８】
図７は、第２実施形態において、オープンボタン５に軽く触れる一段目の押下操作が行われた際に実行開始されるフローチャートであり、この図７のフローから抜けた際には、全体動作のメインフロー（図示省略）に戻る。
先ず、制御回路部１１は、オープンボタン８の一段目の押下操作によりその電気接点スイッチ８ａがオンされると、開閉検出回路部１７の検出結果に基づいて操作部筐体１と表示部筐体２との開閉状態を判定する（ステップＳ２１）。
【００３９】
ここで、オープンボタン８を触れると同時に一気に押し込むことにより操作部筐体１と表示部筐体２とを開いたときには（ステップＳ２１でＮＯ）、キー操作部５への蓄光が不要であると判断して図７のフローから抜けるが、閉状態のままでオープンボタン８が深く押し込まれていなければ（ステップＳ２１でＹＥＳ）、発光カウンタ１４ｂの値は所定時間“６００秒”未満であるか、つまり、発光時間が不足しているか否かを調べる（ステップＳ２２）。いま、発光カウンタ１４ｂの値が“６００秒”未満であれば（ステップＳ２２でＹＥＳ）、発光時間が不足していると判断して以下、第１実施形態と同様に、表示部７を駆動させてキー操作部５の蓄光材への蓄光を開始させる（ステップＳ２３）。この蓄光開始に伴って、蓄光継続時間を計測する蓄光カウンタ１４ａの計測動作を開始させる。
【００４０】
そして、開閉検出回路部１７の検出結果に基づいて開閉状態の判定を行い（ステップＳ２４）、閉状態のままであれば（ステップＳ２４でＹＥＳ）、上述の蓄光カウンタ１４ａの計測時間を取得して所定時間（例えば、３０秒）を経過したかを調べる（ステップＳ２５）。その結果、所定時間未満であれば（ステップＳ２５でＮＯ）、上述のステップＳ２４に戻って、所定時間を超えるまで待機状態となるが、所定時間を超えたときには（ステップＳ２５でＹＥＳ）又は所定時間未満であっても開状態となったときには（ステップＳ２４でＮＯ）、表示部７の駆動を終了させてキー操作部５の蓄光材への蓄光を終了（ステップＳ２６）させた後、図７のフローから抜ける。一方、発光カウンタ１４ｂの値が所定時間“６００秒”以上であれば（ステップＳ２２でＹＥＳ）、発光時間が足りていると判断して、表示部７の駆動による蓄光を行わずに、図７のフローから抜ける。
【００４１】
以上のように、第２実施形態において制御回路部１１は、照度センサ９の計測結果に基づいてキー操作部５の蓄光材に蓄光された状況として蓄光材が発光可能な発光時間を計測しておき、携帯電話機を使用し始める使用開始タイミングの際に、この発光時間が所定時間未満であれば蓄光材への蓄光を開始し、所定時間以上であれば蓄光材への蓄光を抑制するようにしたので、発光時間が不足している場合には、蓄光を捕捉するが、発光時間が十分であれば、蓄光を行わずに即座に発光を行うことができ、電力消費を抑えることができる。その他、第２実施形態において上述した第１実施形態と同様の効果を有する。
【００４２】
なお、上述した第２実施形態においては、照度センサ９の計測結果に基づいてキー操作部５の蓄光材に蓄光された状況として蓄光材が発光可能な発光時間を計測するようにしたが、蓄光された時間を計測しておき、携帯電話機を使用し始める使用開始タイミングの際に、蓄光時間が所定時間未満であるかを判別し、所定時間未満であれば蓄光材への蓄光を開始し、所定時間以上であれば蓄光材への蓄光を抑制するようにしてもよい。
【００４３】
なお、上述した第１及び第２実施形態においては、操作部筐体１と表示部筐体２とが折り畳まれている状態において、オープンボタン８の操作に応じてその折り畳み状態を解除して操作部筐体１と表示部筐体２とをバネ力で開かせるオープン機構を備えたが、このようなボタン操作によるオープンに限らず、手の力で操作部筐体１と表示部筐体２とを開くようにしてもよい。
【００４４】
上述した第１及び第２実施形態においては、オープンボタン８に軽く触れたことを検出した際に、携帯電話機の使用開始タイミングであると判定するようにしたが、開閉検出回路部１７により操作部筐体１と表示部筐体２との開き始め（例えば、開度５°）を検出し、この開き始めを検出した際に携帯電話機の使用開始タイミングであると判定するようにしてもよい。この場合、開閉検出回路部１７に電気的・機械的・光学的なスイッチ手段などを設けて開き始めを検出するようにしてもよく、その検出の仕方は任意である。
【００４５】
また、上述した第１及び第２実施形態においては、オープンボタン８に軽く触れたことを検出した際に、携帯電話機の使用開始タイミングであると判定するようにしたが、操作部筐体１の両側に人体接触を検出するタッチセンサ（図示省略）を配設し、このタッチセンサへの人体接触状態に基づいて携帯電話機の使用開始タイミングであると判定するようにしてもよい。
【００４６】
この場合、タッチセンサへの人体接触状態として、操作部筐体１の両側に配設されているタッチセンサが同時に人体接触されたこと、且つその接触時間が所定時間（例えば、１秒）以上であることを条件に、携帯電話機の使用開始タイミングであると判定するようにしてもよい。また、操作部筐体１の両側に配設されているタッチセンサが同時に人体接触されたこと、且つ操作部筐体１と表示部筐体２との開き始め（例えば、開度５°）を検出したことを条件に、携帯電話機の使用開始タイミングであると判定するようにしてもよい。
【００４７】
上述した第１及び第２実施形態においては、操作部筐体１と表示部筐体２とを折り畳み自在としたが、折り畳み自在に限らず、例えば、操作部筐体１と表示部筐体２とをスライド可能なものにおいて、操作部筐体１を１８０°回転させてそのキー操作部５を表示部７側に向けた状態で操作部筐体１と表示部筐体２とをスライドさせるようにしてもよい。
【００４８】
上述した第１及び第２実施形態においては、表示部７のバックライト７ｂを光源部としたが、着信報知用の発光ダイオードなどを兼用したり、専用の光源を設けたりするようにしてもよい。また、蓄光対象の操作部は、キーボード上に各種のキーを配設したものに限らず、単一のボタンなどであってもよい。
【００４９】
上述した第１及び第２実施形態においては、携帯端末装置として携帯電話機に適用した場合を示したが、デジタルカメラ（コンパクトカメラ）、ＰＤＡ、音楽プレイヤーなどであってもよい。
【００５０】
その他、上述した第１及び第２実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００５１】
以下、本発明の諸態様を付記としてまとめて記載する。
【００５２】
（付記１）
蓄光性を有する蓄光材を使用した操作部と光源部を備えた携帯端末装置であって、
当該端末装置を使用し始める使用開始タイミングであるか否かを判別する判別手段と、
前記判別手段により使用開始タイミングであることが判別された際に、前記光源部を駆動させることにより前記操作部の蓄光材への蓄光を開始する制御手段と、
を備えたことを特徴とする携帯端末装置。
付記１によれば、当該端末装置を使用し始める使用開始タイミングを条件に光源部を駆動させて操作部の蓄光材への蓄光を開始するようにしたので、操作部を光源部で蓄光させる場合に適切なタイミングで蓄光することができ、消費電流の低減により実用性に富んだものとなる。
【００５３】
（付記２）
前記判別手段は、前記操作部を備えた操作部筐体と前記光源部としての表示部を備えた表示部筐体との折り畳み状態を解除する操作が開始されたか否かに基づいて使用開始タイミングであるか否かを判別する、
ようにしたことを特徴とする付記１に記載の携帯端末装置。
付記２によれば、折り畳み状態を解除する操作の開始を使用開始タイミングとして判別することができる。
【００５４】
（付記３）
前記操作部筐体と表示部筐体との折り畳み状態を解除する操作子を更に備え、
前記判別手段は、前記操作子が操作された際を使用開始タイミングとして判別する付記２に記載の携帯端末装置。
付記３によれば、操作子の操作を使用開始タイミングとすることができる。
【００５５】
（付記４）
前記操作部筐体と表示部筐体との折り畳み状態を解除する前記操作子は、複数段押しが可能な押しボタンであり、
前記判別手段は、前記押しボタンの一段目の押下を検出した際に、前記解除操作が開始されたと判別し、
前記制御手段は、前記押しボタンの一段目の押下で前記操作部の蓄光材への蓄光を開始し、該押しボタンの二段目以降の押下で蓄光を終了する、
ようにしたことを特徴とする付記３に記載の携帯端末装置。
付記４によれば、押しボタンの一段目の押下で蓄光を開始し、二段目以降の押下で蓄光を終了するようにしたので、使用者の意思に応じて操作部への蓄光の強さ（時間）を容易に調整することができる。
【００５６】
（付記５）
前記光源部は、表示部の表示面を照明するバックライトであり、
前記制御手段は、前記表示部のバックライトを駆動させることにより前記蓄光材への蓄光を制御する、
ようにしたことを特徴とする付記１〜４のいずれかの付記に記載の携帯端末装置。
付記５によれば、表示部の表示面を照明するバックライトを蓄光の光源部とするようにしたので、蓄光専用の光源部を新たに設けなくても、バックライトを蓄光用として兼用することができる。
【００５７】
（付記６）
前記制御手段は、前記光源部の駆動を開始してから所定時間が経過した際にその駆動を停止させる、
ようにしたことを特徴とする付記１〜５のいずれかに記載の携帯端末装置。
付記６によれば、光源部の駆動を自動的に停止するようにしたので、無駄な電力消費を抑えることができる。
【００５８】
（付記７）
前記操作部の周辺の明るさを計測する照度センサの計測結果に基づいて前記蓄光材に蓄光された状況を数量として計測する計測手段を更に備え、
前記制御手段は、前記判別手段により使用開始タイミングであることが判別された際に、前記計測手段による計測結果に基づいて前記蓄光材への蓄光を制御する、
ようにしたことを特徴とする付記１〜６のいずれかに記載の携帯端末装置。
付記７によれば、蓄光材に蓄光された状況を数量として計測しておき、当該端末装置の使用開始タイミングの際に、その計測結果に基づいて蓄光を制御するようにしたので、蓄光を適切に制御することができる。
【００５９】
（付記８）
前記計測手段は、前記照度センサの計測結果に基づいて前記蓄光材に蓄光された状況として前記蓄光材が発光可能な発光時間を計測し、
前記制御手段は、前記判別手段により使用開始タイミングであることが判別された際に、前記計測手段により計測された発光時間が所定時間未満であるかを判別し、所定時間未満であれば前記蓄光材への蓄光を開始し、所定時間以上であれば前記蓄光材への蓄光を抑制する、
ようにしたことを特徴とする付記７に記載の携帯端末装置。
付記８によれば、蓄光材に蓄光された状況を発光時間として計測しておき、当該端末装置の使用開始タイミングの際に、発光時間に応じて蓄光を行うか否かを制御することができる。
【００６０】
（付記９）
前記操作部は、キーボード上に各種のキーを備えたキー操作部であり、
前記蓄光材は、少なくとも前記キーボード、各キーのいずれかにを設ける、
ようにしたことを特徴とする請求項１〜請求項８のいずれかに記載の携帯端末装置。
付記９によれば、キーボードや各キー自体に蓄光材を使用するようにしたので、効果的な照明が可能となる。
【００６１】
（付記１０）
コンピュータに対して、
蓄光性を有する蓄光材を使用した操作部と光源部を備えた携帯端末装置を使用し始める使用開始タイミングであるか否かを判別する機能と、
前記使用開始タイミングであることが判別された際に、前記光源部を駆動させることにより前記蓄光材への蓄光を制御する機能と、
を実現させるためのプログラム。
付記１０によれば、付記１と同様に操作部を光源部で蓄光させる場合に適切なタイミングで蓄光することができ、消費電流の低減により実用性に富んだものとなり、付記１の機能をソフトウェア（プログラム）の形で提供することができる。
【符号の説明】
【００６２】
１  操作部筐体
２  表示部筐体
５  キー操作部
７  表示部
７ｂ  バックライト
８  オープンボタン
８ａ  電気接点スイッチ
８ｂ  メカスイッチ
１１  制御回路部
９  照度センサ
１４  記憶部
１７  開閉検出回路部
１８  発光カウンタ
【図１】
2012114615.tif 000003
【図２】
2012114615.tif 000004
【図３】
2012114615.tif 000005
【図４】
2012114615.tif 000006
【図５】
2012114615.tif 000007
【図６】
2012114615.tif 000008
【図７】
2012114615.tif 000009